(57)【特許請求の範囲】
【請求項１】
先端側に下向き爪切刃が設けられた上側爪切部、基端側に握持操作部が設けられた第一爪切り半体と、先端側に上向き爪切刃が設けられた下側爪切部、基端側に握持操作部が設けられた第二爪切り半体とがＸ状に交差枢着されてなり、前記握持操作部の開閉操作により、対向配設される前記上側爪切部と前記下側爪切部とを相対接近移動させ、前記下向き爪切刃と前記上向き爪切刃との間に挿入配設された爪を挟み切ることができるように構成されているニッパー型の爪切り具において、前記上側爪切部と前記下側爪切部とは、対称構造に形成されていると共に、夫々の指先側の外面に凹状の湾曲面に形成されている指先収納当接部が設けられ、且つ、前記下向き爪切刃及び前記上向き爪切刃の刃面が夫々直線形状に形成されていて、前記上側爪切部及び前記下側爪切部のいずれかの指先収納当接部に、爪切りする指先の爪床先端から指腹にかけて凸状に湾曲する指先の先端湾曲部を収納させるように当接させた状態で、指先の指腹から爪床先端に向かう後方に回動操作することで、指先の先端湾曲部の肉部を挟み込むことなく、前記上向き爪切刃を爪の奥側まで入れ込むことができるように構成されていることを特徴とする爪切り具。
【発明の詳細な説明】
【技術分野】
【０００１】
本発明は、深爪することなく、爪を指先より内方の爪床先端近傍まで深く切ることができる爪切り具に関するものである。
【背景技術】
【０００２】
従来、深爪するとデリケートな爪床が露出してしまい、この爪床が露出することで様々な不具合（例えば、爪床に触れるだけで痛みが生ずる、細菌の浸入により感染症を発症する、巻爪の原因となる等）が生ずるおそれがあることから、従来の爪切り具の殆どは、深爪防止策として、下側爪切部の爪切刃の下方に指先が当接する指先当接板部（爪切刃の下端から垂直状態若しくは内側に向かって傾斜状態に設けた板部）を設け、指先がこの指先当接板部に当たることで爪切刃が奥に入り込むことを阻止する構成となっている。
【０００３】
即ち、従来の爪切り具は、指先から突出した爪を切り、爪の長さを指先とそろえる程度の深さ（長さ）に切るのに適した構造となっていて、深めに爪を切ることには適していないものとなっている。
【０００４】
しかしながら、例えば弦楽器奏者やロッククライマー、マッサージ師、美容師などは、職業柄、爪が伸びていることで様々な不具合が生じることから、常に爪をできるだけ短い状態（深爪に近い状態）にしており、このような人たちにとっては、従来の深爪防止策が施された爪切り具は非常に使いにくいものであった。
【０００５】
即ち、従来の深爪用爪切り具で、爪をできるだけ深い位置まで切るには、例えば、爪切刃を寝かせた状態（水平に近い状態）にして無理に爪の隙間に爪切刃を入れ込んだり、下側爪切部の外面を指先に強く押し付けて無理やり爪切刃を奥側に入れ込んだりしなければならず、このような方法で無理に爪を深めに切ることで、爪をきれいに切ることができず、また、無理な押し付けで痛みが生じたり、誤って指を切ってしまうことがあった。
【発明の概要】
【発明が解決しようとする課題】
【０００６】
本発明は、上述のような現状の問題に鑑みなされたものであり、容易に且つ安全に爪を深めに切ることができる実用性に優れた画期的な爪切り具を提供することを目的とする。
【課題を解決するための手段】
【０００７】
添付図面を参照して本発明の要旨を説明する。
【０００８】
先端側に下向き爪切刃１Ａが設けられた上側爪切部１、基端側に握持操作部４が設けられた第一爪切り半体６と、先端側に上向き爪切刃２Ａが設けられた下側爪切部２、基端側に握持操作部４が設けられた第二爪切り半体７とがＸ状に交差枢着されてなり、前記握持操作部４の開閉操作により、対向配設される前記上側爪切部１と前記下側爪切部２とを相対接近移動させ、前記下向き爪切刃１Ａと前記上向き爪切刃２Ａとの間に挿入配設された爪を挟み切ることができるように構成されているニッパー型の爪切り具において、前記上側爪切部１と前記下側爪切部２とは、対称構造に形成されていると共に、夫々の指先側の外面に凹状の湾曲面に形成されている指先収納当接部３が設けられ、且つ、前記下向き爪切刃１Ａ及び前記上向き爪切刃２Ａの刃面が夫々直線形状に形成されていて、前記上側爪切部１及び前記下側爪切部２のいずれかの指先収納当接部３に、爪切りする指先の爪床先端から指腹にかけて凸状に湾曲する指先の先端湾曲部20を収納させるように当接させた状態で、指先の指腹から爪床先端に向かう後方に回動操作することで、指先の先端湾曲部の肉部を挟み込むことなく、前記上向き爪切刃２Ａを爪の奥側まで入れ込むことができるように構成されていることを特徴とする爪切り具に係るものである。
【発明の効果】
【０００９】
本発明は上述のように構成したから、容易に且つ安全に爪を深めに切ることができる実用性に優れた画期的な爪切り具となる。
【図面の簡単な説明】
【００１０】
【図１】実施例１を示す斜視図である。
【図２】実施例１の要部を示す拡大側面図である。
【図３】実施例１の使用状態における要部の状態を示す説明図である。
【図４】実施例１の別例（刃面湾曲形状タイプ）を示す斜視図である。
【図５】実施例１の別例（刃面湾曲形状タイプ）の要部を示す拡大側面図である。
【図６】実施例１の使用状態を示す説明図である。
【図７】実施例２を示す斜視図である。
【図８】実施例２の要部を示す拡大側面図である。
【図９】実施例２の別例（刃面直線形状タイプ）を示す斜視図である。
【図１０】実施例２の別例（刃面直線形状タイプ）の要部を示す拡大側面図である。
【図１１】従来例の使用状態における要部の状態を示す説明図である。
【発明を実施するための形態】
【００１１】
好適と考える本発明の実施形態を、図面に基づいて本発明の作用を示して簡単に説明する。
【００１２】
本発明の爪切り具は、下側爪切部２の指先側の外面に設けた指先収納当接部３に、爪床先端から指腹にかけて凸状に湾曲する指先の先端湾曲部20（少なくともこの先端湾曲部20の一部）を収容するように当接させた状態で、上方向、即ち指先の指腹から爪床先端に向かう後方に爪切り具を回動操作して、上向き爪切刃２Ａを爪の奥側に向かって移動させることで、上向き爪切刃２Ａを確実に且つ容易に爪の奥側まで入れ込むことができる。
【００１３】
即ち、上向き爪切刃を寝かせた状態（水平に近い状態）にして無理に隙間に入れ込んだり、下側爪切部の外面を指先に強く押し付けて無理やり爪切刃を奥側に入れ込んだりすることなく、容易に上向き爪切刃２Ａを爪の奥側、例えば爪床先端となる爪皮下近傍の深い位置まで入れ込むことができ、これにより、極めて容易にきれいに深爪に近い状態まで深く爪を切ることができることとなる。
【００１４】
しかも、本発明は、上向き爪切刃２Ａを爪の奥側まで入れ込み移動する際に、指先の先端湾曲部若しくはその一部が指先収納当接部３に当接したままの状態で移動するので、上向き爪切刃２Ａが指先の先端湾曲部の肉部を挟み込むような状態にならず、よって、爪を切る際に誤って指の肉部まで一緒に切ってしまうことが無く、安全に爪を奥側まで深く切ることができる実用性に優れた画期的な爪切り具となる。
【実施例１】
【００１５】
本発明の具体的な実施例１について図面に基づいて説明する。
【００１６】
本実施例は、下向き爪切刃１Ａを設けた上側爪切部１と、上向き爪切刃２Ａを設けた下側爪切部２とを離間状態に対向配設し、前記上側爪切部１と前記下側爪切部２とを相対接近移動させて、前記下向き爪切刃１Ａと前記上向き爪切刃２Ａとの間に挿入配設した爪を、前記下向き爪切刃１Ａと前記上向き爪切刃２Ａとで上下方向から挟み切る爪切り具である。
【００１７】
また、本実施例は、図１に示すように、ニッパータイプの爪切り具に構成した場合である。
【００１８】
具体的には、本実施例は、先端側に上側爪切部１を設け、基端側に握持操作部４を設け、この上側爪切部１と握持操作部４との間に枢着部５を設けた金属製の第一爪切り半体６と、先端側に下側爪切部２を設け、基端側に握持操作部４を設け、この上側爪切部１と握持操作部４との間に枢着部５を設けた金属製の第二爪切り半体７とから成り、この第一爪切り半体６と第二爪切り半体７とを互いの枢着部５を合わせてＸ状に交差枢着して、握持操作部４を開閉操作することにより、対向する上側爪切部１と下側爪切部２とが接離動作する構成としている。
【００１９】
また、本実施例は、第一爪切り半体６と第二爪切り半体７との夫々の握持操作部４間にバネ部材８を架設状態に設けて、このバネ部材８が常に握持操作部４を開き方向に付勢することで、上側爪切部１と下側爪切部２との離間状態を保持する構成とし、バネ部材８の付勢力に抗して握持操作部４を握持操作により閉動させることにより、上側爪切部１と下側爪切部２とが相対接近移動する構成としている。
【００２０】
更に詳細に説明すると、本実施例の第一爪切り半体６の上側爪切部１は、下側爪切部２との対向位置（対向面）となる下端部に下向き爪切刃１Ａを設けた構成とし、具体的には、この下向き爪切刃１Ａは、図２に示すように、刃面を直線形状に形成した構成としている。
【００２１】
また更に、本実施例の上側爪切部１は、爪を切る際に指先側となる外面に、指先の爪床先端から指腹にかけて凸状に湾曲する先端湾曲部20の指先湾曲形状に合致する凹状湾曲形状に形成した指先収納当接部３を設けた構成とし、この指先収納当接部３は、具体的には、図３（ａ），（ｂ）に示すように、爪床先端から指腹にかけて凸状に湾曲する指先の上部側の先端下がり湾曲部20Ａの先端下がり湾曲形状に合致する凹状湾曲形状に形成した構成としている。尚、前記合致は、先端湾曲部20に対して一部だけ合致する場合も含むことを意味する。
【００２２】
また、第二爪切り半体７の下側爪切部２は、対向する上側爪切部１と同様の構成としており、具体的には、上側爪切部１との対向位置（対向面）となる上端部に上向き爪切刃２Ａを設けた構成とし、この上向き爪切刃２Ａの刃面は、下向き爪切刃１Ａと突き合わせ係合するよう、下向き爪切刃１Ａと同形状の直線形状に形成した構成としている。
【００２３】
また更に、本実施例の下側爪切部２は、上側爪切部１と同様、爪を切る際に指先側となる外面に、指先の爪床先端から指腹にかけて凸状に湾曲する先端湾曲部20の指先湾曲形状に合致する凹状湾曲形状に形成した指先収納当接部３を設けた構成としている。
【００２４】
具体的には、爪床先端から指腹にかけて凸状に湾曲する指先の上部側の先端下がり湾曲部20Ａの先端下がり湾曲形状に合致する凹状湾曲形状に形成した指先収納当接部３を設けた構成としている。
【００２５】
即ち、本実施例は、第一爪切り半体６と第二爪切り半体７とを対称構造に形成し、左右の手のいずれで操作しても、指先の先端湾曲部20（先端下がり湾曲部20Ａ）が指先収納当接部３に収納当接する構成としている。
【００２６】
即ち、本実施例は、爪を切る際、指先収納当接部３に、爪床先端から指腹にかけて凸状に湾曲する指先の先端湾曲部20、具体的には、図３（ｂ）に示すように、指先の上部側の先端下がり湾曲部20Ａを収納するように当接させた状態で、上側爪切部１の下向き爪切刃１Ａと下側爪切部２の上向き爪切刃２Ａとの角度と位置を調整して、上向き爪切刃２Ａを寝かせた状態（水平に近い状態）にして無理に爪の隙間に入れ込んだり、下側爪切部２の外面を指先に強く押し付けたりしなくても容易に上向き爪切刃２Ａを爪床先端近傍まで配設することができる構成としている。
【００２７】
尚、本実施例では、下向き爪切刃１Ａ、上向き爪切刃２Ａの夫々の刃面の形状を直線形状に形成した構成としたが、図４，５に示すように、爪先形状に合わせた湾曲形状に形成した構成としても良い。
【００２８】
上述のように構成した本実施例の作用・効果について以下に説明する。
【００２９】
本実施例の爪切り具を用いて爪を深めに、例えば深爪ぎりぎりの爪床先端近傍まで切る際は、下側爪切部２の指先側の外面に設けた指先収納当接部３に、爪床先端から指腹にかけて凸状に湾曲する指先の先端湾曲部20の上部側の先端下がり湾曲部20Ａを収容するように当接させた状態で、上方向、即ち指先の指腹から爪床先端に向かう後方に爪切り具を回動操作して、上向き爪切刃２Ａを爪の奥側に向かって移動させることで、図３（ｂ）に示すように、上向き爪切刃２Ａを確実に爪の奥側まで入れ込むことができる。
【００３０】
この上向き爪切刃２Ａを爪の奥側に入れ込んだ状態で、握持操作部４を握持操作して閉動させると、図６に示すように、爪の上下（表裏）両側に配設された下向き爪切刃１Ａと上向き爪切刃２Ａとが互いに接近移動し、爪を上下（表裏）方向から挟み切ることができる。
【００３１】
このように、本実施例は、図１１に示す従来の爪切り具のように、上向き爪切刃30を寝かせた状態（水平に近い状態）にして無理に隙間に入れ込んだり、下側爪切部の外面を指先に強く押し付けて無理やり爪切刃を奥側に入れ込んだりすることなく、容易に上向き爪切刃２Ａを爪の深い位置、爪床先端となる爪皮下近傍まで入れ込むことができ、これにより、極めて容易にきれいに深爪に近い状態まで爪を切ることができることとなる。
【００３２】
しかも、本実施例は、上向き爪切刃２Ａを爪の奥側まで入れ込み移動する際に、指先の先端湾曲部が指先収納当接部３に当接したままの状態で移動するので、上向き爪切刃２Ａが指先の先端湾曲部の肉部を挟み込むような状態にならず、よって、爪を切る際に誤って指の肉部まで一緒に切ってしまうことが無く、安全に爪を奥側まで深く切ることができる実用性に優れた画期的な爪切り具となる。
【実施例２】
【００３３】
本発明の具体的な実施例２について図面に基づいて説明する。
【００３４】
本実施例は、実施例１の爪切り具を、図７に示すような一般的な爪切り形状（クリッパータイプ）の爪切り具に構成した場合である。
【００３５】
具体的には、本実施例は、先端側に上側爪切部１を設けた金属製の第一爪切り板体９と、先端側に下側爪切部２を設けた金属製の第二爪切り板体10との夫々の基端部同士を連結してＶ字状に形成した爪切り本体部11と、第一爪切り板体９を第二爪切り板体10に相対接近移動させる操作レバー部12とから成り、第一爪切り板体９と第二爪切り板体10との先端部側に上下方向に貫通配設したピン13に操作レバー部12の先端部を枢着して、この操作レバー部12を上下方向に回動自在に設けて、操作レバー部12を押圧操作することにより、てこの原理で操作レバー部12の作用部12Ａが第一爪切り板体９を押圧し、Ｖ字状の本体部の離間幅が狭まって、対向する第一爪切り板体９の上側爪切部１と第二爪切り板体10の下側爪切部２とが接近動作する構成としている。
【００３６】
更に詳細に説明すると、図８（ａ）に示すように、第一爪切り板体９の上側爪切部１は、下側爪切部２との対向位置（対向面）となる下端部に下向き爪切刃１Ａを設けた構成としている。
【００３７】
具体的には、本実施例の下向き爪切刃１Ａは、図８（ｂ）に示すように、刃面を爪先形状に合わせた湾曲形状に形成した構成としている。
【００３８】
また更に、本実施例の上側爪切部１は、爪を切る際に指先側となる外面に、指先の爪床先端から指腹にかけて凸状に湾曲する先端湾曲部20の指先湾曲形状に合致する凹状湾曲形状に形成した指先収納当接部３を設けた構成とし、この指先収納当接部３は、具体的には、実施例１と同様に、爪床先端から指腹にかけて凸状に湾曲する指先の上部側の先端下がり湾曲部20Ａの先端下がり湾曲形状に合致する凹状湾曲形状に形成した構成としている。
【００３９】
また、第二爪切り板体10の下側爪切部２は、図７，８に示すように、第一爪切り板体９の上側爪切部１と同様に、爪を切る際に指先側となる外面に、指先の爪床先端から指腹にかけて凸状に湾曲する先端湾曲部20の指先湾曲形状に合致する凹状湾曲形状に形成した指先収納当接部３を設けた構成としている。
【００４０】
具体的には、爪床先端から指腹にかけて凸状に湾曲する指先の上部側の先端下がり湾曲部20Ａの先端下がり湾曲形状に合致する凹状湾曲形状に形成した指先収納当接部３を設けた構成としている。
【００４１】
即ち、本実施例は、第一爪切り板体９と第二爪切り板体10とを対称構造に形成した構成としている。
【００４２】
即ち、本実施例は、爪を切る際、指先収納当接部３に、爪床先端から指腹にかけて凸状に湾曲する指先の先端湾曲部20、具体的には、指先の上部側の先端下がり湾曲部20Ａを収納するように当接させた状態で、上側爪切部１の下向き爪切刃１Ａと下側爪切部２の上向き爪切刃２Ａとの角度と位置を調整して、上向き爪切刃２Ａを寝かせた状態（水平に近い状態）にして無理に爪の隙間に入れ込んだり、下側爪切部２の外面を指先に強く押し付けたりしなくても容易に上向き爪切刃２Ａを爪床先端近傍まで配設することができる構成としている。
【００４３】
尚、本実施例では、下向き爪切刃１Ａ、上向き爪切刃２Ａの夫々の刃面の形状を爪先形状に合わせた湾曲形状に形成した構成としたが、図９，１０（ｂ）に示すように、直線形状に形成した構成としても良い。
【００４４】
尚、本発明は、実施例１，２に限られるものではなく、各構成要件の具体的構成は適宜設計し得るものである。
【符号の説明】
【００４５】
１  上側爪切部
１Ａ  下向き爪切刃
２  下側爪切部
２Ａ  上向き爪切刃
３  指先収納当接部
４ 握持操作部
６ 第一爪切り半体
７ 第二爪切り半体
20  先端湾曲部
【図１】
0006427342.tif 000002
【図２】
0006427342.tif 000003
【図３】
0006427342.tif 000004
【図４】
0006427342.tif 000005
【図５】
0006427342.tif 000006
【図６】
0006427342.tif 000007
【図７】
0006427342.tif 000008
【図８】
0006427342.tif 000009
【図９】
0006427342.tif 000010
【図１０】
0006427342.tif 000011
【図１１】
0006427342.tif 000012